(57)【特許請求の範囲】
【請求項１】
カラー印刷をするために平版印刷版を印刷機の版胴に張設する際、初期弾性率が３００ｋｇｆ／ｍｍ2以下で、かつ少なくとも一方の面が微細な凹凸面に加工されたシート材を、前記版胴と前記平版印刷版との間に介在させる版掛け方法であって、前記シート材は前記版胴に固定され、かつ前記平版印刷版が滑動できるように前記シート材の凹凸面と前記平版印刷版の裏面が直に接するようにすることを特徴とする版掛け方法。
【請求項２】
前記シート材の微細な凹凸面の中心線平均粗さＲａが２μｍ以上であることを特徴とする請求項１に記載の版掛け方法。
【発明の詳細な説明】
【０００１】
【発明の属する技術分野】
本発明は、印刷中における平版印刷版の位置ずれの防止を図った平版印刷版の版掛け方法に関する。
【０００２】
【従来の技術】
一般に、カラー印刷等に使われるような大型の平版印刷機は、刷版の咬え頭部分と咬え尻部分を万力で固定し、刷版に張力がかかる方向に万力を動かし、刷版全体を版胴上に張設させている。張力をかけて刷版を版胴上に固定することによって、刷版の位置精度を向上させ、カラー印刷等の高精細印刷を可能にしている。
【０００３】
しかしながら、近年、６０００枚以上／時間、更に９０００枚以上／時間の高速印刷が行われるようになってきており、このような高速印刷において、しばしば版胴上の刷版の位置がずれるという問題が生じた。これはカラー印刷等の多色印刷を行う上で深刻な問題であった。
【０００４】
上記現象は、特に、見当調整のための比較的低速（３０００〜４０００枚／時間）での試し刷りから本番の高速印刷に切り替える時に起こりやすかった。また、アルミニウムを支持体とするＰＳ版に比べ、耐水加工した紙やプラスチックフィルムを支持体とする平版印刷版は強度が低いため、版掛けに際して張力を低めにする必要があり、上記位置ずれの問題は生じ易かった。
【０００５】
【発明が解決しようとする課題】
従って、本発明の目的は、印刷中における刷版の位置ずれを防止した版掛け方法を提供することにある。特にカラー高速印刷に好適な版掛け方法を提供する。
【０００６】
【課題を解決するための手段】
本発明の上記目的は、カラー印刷をするために平版印刷版を印刷機の版胴に張設する際、初期弾性率が３００ｋｇｆ／ｍｍ2以下で、かつ少なくとも一方の面が微細な凹凸面に加工されたシート材を、前記版胴と前記平版印刷版との間に介在させる版掛け方法であって、前記シート材は前記版胴に固定され、かつ前記平版印刷版が滑動できるように前記シート材の凹凸面と前記平版印刷版の裏面が直に接するようにすることを特徴とする版掛け方法によって達成された。
【０００７】
本発明者は、鋭意研究した結果、印刷中の刷版の版胴に対する位置精度を確保するためには、ブランケットローラーやインキローラーから刷版に対して加えられる力を緩和させる必要があることを突き止め、前記初期弾性率を有するシート材を刷版と版胴との間に介在させることにより、シート材がクッションとして機能し、上記効果を奏することを見出した。
【０００８】
【発明の実施の形態】
本発明におけるシート材の初期弾性率は、ＪＩＳ規格Ｋ７１２７に準じて求めることができる。即ち、試料を幅１０ｍｍ、長さ１４ｍｍに切断し、チャック間距離を１００ｍｍとして、引っ張り速度１ｍｍ／ｍｉｎで万能引っ張り試験機で引っ張り、得られた荷重−伸び曲線の立ち上がり部の接線より、弾性率を求める。弾性率に異方性がある場合、最も小さい値をその素材の初期弾性率と見なす。
【０００９】
本発明に用いられるシート材の初期弾性率は、好ましくは５０〜２５０Ｋｇｆ／ｍｍ2である。更に好ましくは５０〜２００Ｋｇｆ／ｍｍ2である。このシート材は、プラスチック樹脂フィルムから選ばれることが好ましい。例えばポリプロピレン、ポリカーボネート、ナイロン、ポリアクリレート、ポリエーテルスルホン、ポリエチレン等の樹脂フィルムが挙げられる。これらの樹脂フィルムは単体、もしくは２種以上の複合体として用いてもよい。
【００１０】
また、素材自体は３００Ｋｇｆ／ｍｍ2より大きな初期弾性率を有する樹脂フィルム（例えば、ポリエチレンテレフタレートフィルム：ＰＥＴフィルム）であっても、それを加工することによって、初期弾性率を低下させてもよい。例えば、ＰＥＴフィルム上に弾力性のある皮膜を形成させることによって得られる。
【００１１】
前記シート材がクッションとして機能するためには、５０〜３００μ程度の厚みであることが望ましい。これは通常の印刷時において印圧を適切に設定するために、刷版と版胴の間に介在が要求される厚み調整用シート（アンダーパッキン）の厚みの範囲内に入っている。
【００１２】
本発明において、前記シート材は、その少なくとも一方の面が微細な凹凸面に加工されたものであることが好ましい。凹凸面は、中心線表面粗さＲａで表すことができ、Ｒａ値が２μｍ以上であることが好ましい。特に好ましくはＲａ値が３〜１２μｍである。更にＲａと十点平均粗さＲｚとの比がＲａ／Ｒｚ＞０．１７であることが好ましい。このＲａとＲｚの関係は表面の凹凸の均一性を示すもので、本発明においてＲａ／Ｒｚが０．１７より大きいと云うことは、凹凸の大きさ、高さ及び深さが比較的均一にそろっていることを意味する。
【００１３】
上記の微細な凹凸面を有するシート材を版胴と刷版の間に介在させることによって、刷版と版胴との間の摩擦抵抗が減少し、見当調整がしやすくなる。
しかしながら、刷版と版胴との間の摩擦抵抗を減少させた場合、前記したように、印刷中に版胴に対する刷版の位置ずれが生じ易くなる。
【００１４】
従って、本発明は高速印刷における刷版の位置ずれの改良はもとより、上記の見当調整を容易ならしめる手段と併せて用いることによって、よりその効果は大きなものとなる。
【００１５】
本発明において、前記シート材の中心線平均粗さＲａは、ＪＩＳ  Ｂ０６０１に準じて測定することができる。具体的には、表面粗さ形状測定機、例えば、東京精密社製サーフコム５００Ｂを用いることにより測定することができる。測定された断面曲線からその中心線の方向に測定長さＬの部分を抜き取り、この抜き取り部分の中心線をＸ軸、縦倍率の方向をＹ軸とし、粗さ曲線をｙ＝ｆ（ｘ）で表したとき、中心線平均粗さＲａ値は、マイクロメートル単位で表し、数１の式によって計算することができる。
【００１６】
【数１】
0003604872.tif 000002
【００１７】
本発明におけるシート材の十点平均粗さＲｚは、中心線平均粗さＲａと同様、表面粗さ測定機によって測定することができる。断面曲線から測定長さＬを抜き取った部分の平均線に平行な直線のうち高い方から３番目の山頂を通るものと、深い方から３番目の谷底を通るものをを選び、この２本の直線の間隔をマイクロメーター単位で表すことにより、十点平均粗さＲｚが求められる。
【００１８】
前記した中心線平均粗さＲａ値が２μｍ以上、更には特定のＲａ／Ｒｚを有する微細な凹凸面（以降、マット面と称す）は、本発明のシート材を化学的あるいは物理的に表面処理することによって、または直径１０〜１００μｍの微細ガラスビーズ、ポリスチレンやポリメチルメタアクリレート等のポリマー粒子、ダイアモンド砥粒等をシート状素材の表面に密に均一に固着することによって作ることができる。この中でも特に微細ガラスビーズや比較的硬度の高いポリマー粒子を密に均一分散固着することが好ましい。このような凹凸加工を施したシート材の初期弾性率の測定は、凹凸加工を施した状態で行い、その測定値が本発明の範囲内にあることが必要である。
【００１９】
本発明の版掛け方法は、アルミニウムを支持体とするＰＳ版、耐水加工した紙を支持体とする紙版、またはポリエステルフィルム（例えば、一般的にはポリエチレンテレフタレートフィルム）等のプラスチック樹脂フィルムを支持体とする樹脂フィルム版等の平版印刷版の版掛けに有効に用いることができる。特に樹脂フィルム版を用いたカラー印刷に好適に用いられる。
【００２０】
次に、本発明のシート材を刷版と版胴との間に介在させる版掛け方法について、更に具体的に説明する。
【００２１】
図１、２、３は樹脂フィルム版を版胴に装着した時の版胴部分の概略断面図である。符号１は版胴、２は刷版、３は本発明のシート材である。刷版２と版胴１との間に本発明のシート材３を介在させる。この場合、刷版２と版胴との間の摩擦抵抗を減少させるためには、図１の様に本発明のシート材３のマット面４が刷版２の裏面に直に接するような構成であることが最も確実である。この際、好ましくは版胴１にシート材３を接着剤６で固定することであるが。固定せずに版掛け作業毎に刷版と版胴との間にシート材を差し込む方法でもよい。
【００２２】
図１の態様の他に、図２の様に本発明のシート材３と刷版２との間に厚みを補正するためのアンダーパッキン５を介在させたり、図３の様に本発明のシート材３が版胴１に貼りつけられたアンダーパッキン５と刷版２との間に介在いても良い。いずれの場合も、シート材３は、版胴上の印圧がかかる全領域を覆っていることが望ましい。
【００２３】
本発明のシート材を刷版と版胴との間に介在させる版掛けにおいて、該シート材の表面の微細凹凸加工は、シート材の両方の面に施してもよいが、好ましくはどちらか一方の面のみに施すことである。この場合、マット面側は版胴、アンダーパッキン、または刷版と接着固定されてはいけない。
【００２４】
通常、版掛け時には、版の厚みと版胴の仕立て量との差を補正するために、前記したように特定の厚みのアンダーパッキンが版と版胴の間に挿入されている。作業の簡素化の観点から、図１に示すように本発明のシート材は厚み調整用のアンダーパッキンとしての機能を併せ持つことが好ましい。
【００２５】
従来から用いられているアンダーパッキンは、ポリエチレンテレフタレートフィルムで、その初期弾性率は４００以上であり、本発明の効果は到底奏し得ないものである。
【００２６】
【実施例】
以下、本発明の実施例を説明するが、勿論本発明はこれだけに限定されるものではない。
【００２７】
実施例１
本発明の刷版の版掛け方法の優位性を立証するために、実際に印刷評価した。
【００２８】
印刷版の位置精度の安定性を評価するために、同じ版をかけたままの印刷機に、同じ印刷用紙を２回通して、同一の画像を重ね刷りした。その際、１回目と２回目の印刷速度を変化させたときに生じる両者の印刷画像のずれを、版の位置精度の指標として評価し、版掛け方法ごとに比較した。
【００２９】
印刷版は、ＰＥＴベースのＨｅＮｅレーザー感光性銀塩ダイレクト印刷版（三菱製紙（株）製ＳＤＰ−ＦＨＮ１７５。厚み０．２ｍｍ。）を使用し、張設する際に印刷画像に伸びが生じない程度の弱目の張力で版がけした。印刷画像には１０ｍｍ間隔の全面方眼紙パターンを用意し、ＳＤＰ用のレーザー出力機ＳＤＰ２６００より標準条件で露光、現像して製版した。
【００３０】
印刷機には菊半サイズ２色機のＳｐｒｉｎｔ２２６の２胴目を使い、インキには標準硬さのプロセスインキの墨色を、湿し水には三菱ＳＬＭ−ＯＤ５０を使用した。また、印刷用紙にはオフセット印刷適性を付与させた無伸縮性フィルムを使用し、寸法変化による画像のズレを防いだ。その上で、版の位置ズレ以外の要因によって、重ね刷りにおける画像のズレが生じないことを確認した。すなわち、版胴に粘着剤で刷版を貼りつける形で版掛けした場合、印刷速度を変えて重ね刷りしても、画像の位置ズレが生じないことを確かめた。
【００３１】
印刷機の版胴（仕立て０．５ｍｍ）には表１に示すような物性のシート材を、厚さ０．３ｍｍに設定して図１の様にアンダーパッキンとして貼りつけた。表１において、シートＡ、Ｂ、Ｃはトータルの弾性率が３００Ｋｇｆ／ｍｍ2以下であり本発明品に相当する。特にシートＡでは請求項５を満たす様表面処理が施されている。一方、シートＤは一般的に印刷機のアンダーパッキンに使われている素材であり、従来技術に相当し、シートＥは本発明に類似した比較品に相当する。
【００３２】
【表１】
0003604872.tif 000003
【００３３】
重ね刷りによる位置ズレを測定するため、まず印刷速度３，０００枚／時で１００枚刷ったところの印刷物をサンプリングし、直後に印刷速度を８，０００枚／時に上げた。その上で１，０００枚刷り込み、前記サンプリングした印刷物（３，０００枚／時での印刷分）をもう一度印刷機に通した。その結果生じた、画像頭部の天地方向の見当ズレを印刷速度変化によるズレとして評価し、また画像頭部と尻部における見当ズレ量の差から、印刷による版の伸びを評価した。結果を表２に示す。
【００３４】
【表２】
0003604872.tif 000004
【００３５】
表２より明らかなように、本発明においてはズレ、伸びとも０．１ｍｍ以下に収まっており、安定している。
【００３６】
【発明の効果】
請求項１に記載の発明によれば、刷版、特に紙版または樹脂フィルム版における高速印刷時の位置精度や寸法精度が改良される。
【００３７】
請求項２、３、４、５に記載の発明によれば、版胴と刷版の間の摩擦抵抗を減少させ、これにより刷版の自在な滑動が確保され、見当調節の実行が円滑になる。さらに請求項１に記載の発明と組み合わせることにより、摩擦抵抗の減少による版の位置精度への影響を取り除くことができる。
【図面の簡単な説明】
【図１】本発明の一実施例を示す版掛け状態の概略断面図。
【図２】本発明の別の実施例を示す版掛け状態の概略断面図。
【図３】本発明の別の実施態様を示す版掛け状態の概略断面図。
【符号の簡単な説明】
１  版胴
２  刷版
３  シート材
４  マット面
５  アンダーパッキン
６  接着剤
【図１】
0003604872.tif 000005
【図２】
0003604872.tif 000006
【図３】
0003604872.tif 000007